(57)【要約】  制御プログラムが埋め込まれ、埋め込みの制御プログラムの実行を左右する構成データを提供するＲＦ−ＩＤデバイス（１１４、５０４）またはその他の非接触型読み取りデータ記憶媒体（ｎｏｎ−ｃｏｎｔａｃｔ  ｒｅａｄ  ｄａｔａ  ｃａｒｒｉｅｒｓ）（６０４）を備えるデバイス（３０２、７０２、８００）を提供する。好ましい実施形態には、フロント・ファッシャ（ｆｒｏｎｔ  ｆａｓｃｉａ）に埋め込まれたデータをエンコードするＲＦ−ＩＤデバイス（１１４、５０４）または一連の磁石配列（６０４）を備える無線通信デバイス（３０２、７０２、８００）が含まれる。本発明の実施形態により、構成データのセキュリティが向上し、フロント・ファッシャを交換することによって機能の強化が可能になる。
2007503662.tif 000002
【特許請求の範囲】
【請求項１】
１つ以上のメモリと、
該１つ以上のメモリの少なくとも１つに格納された電気的装置を操作するためのプログラムと、
該１つ以上のメモリに接続された該プログラムを実行するためのプロセッサと、
該１つ以上のメモリの少なくとも１つに接続された非接触型情報読み取り装置と、
該非接触型情報読み取り装置に接続された,非接触型読み出し情報記録デバイスと、から
なり、
該情報記録デバイスは該電子的装置を操作するためにプログラムで使用する情報の１つ以上の項目を格納する、電子的装置。
【請求項２】
前記電子的装置は着脱可能な部品をさらに備えており、
前記非接触型読み出し情報記録デバイスは前記電子的装置の該着脱可能な部品に含まれる請求項１に記載の電子的装置。
【請求項３】
前記情報記録デバイスは、前記情報の１つ以上の項目をエンコードする磁石配列を備える請求項１に記載の電子的装置。
【請求項４】
前記情報記録デバイスは、ＲＦ−ＩＤデバイスを備える請求項１に記載の電子的装置。
【請求項５】
電子的装置を操作するためのプログラムを実行するプロセッサと、
該プロセッサに接続され、プログラムの実行を左右する構成データの１つ以上の項目を格納する第１の揮発性メモリと、
該構成データの１つ以上の項目を格納する第２の不揮発性メモリを備える機械的に着脱可能なデバイスと、からなり、
該機械的に着脱可能なデバイスは、該構成データの１つ以上の項目を該第１の揮発性メモリに転送するために、少なくとも１つ以上の回路を経由して該第１の揮発性メモリと通信接続可能である、電子的装置。
【請求項６】
前記機械的に着脱可能なデバイスは、前記１つ以上の回路の他にエア・インターフェイスを含む信号経路を経由して、前記第１の揮発性メモリと通信接続可能である請求項５に記載の電子的装置。
【請求項７】
着脱可能な構成データ記録デバイスを、動作が該構成データに依存する電子的装置と組み合わせて操作する方法であって、
構成データの１つ以上の項目を暗号化によって保護する工程と、
構成データの１つ以上の項目を該着脱可能な構成データ記録デバイスから該電子的装置に無線で送信する工程と、
からなる方法。
【請求項８】
前記構成データの１つ以上の項目を前記暗号化によって保護する工程は、前記電子的装置を前記着脱可能な構成データ記録デバイスに対して認証し、前記送信する工程に認証の成功に関する条件を付ける工程を含む請求項７に記載の方法。
【請求項９】
前記構成データの１つ以上の項目を前記暗号化によって保護する工程は、前記構成データ
の１つ以上の項目を暗号化する工程を含む請求項７に記載の方法。
【請求項１０】
構成データを格納する機能のある着脱可能なデバイスを、動作が該構成データに依存する複数の再構成可能な装置と組み合わせて操作する方法であって、
構成データを保持する機能のある着脱可能なデバイスを第１の再構成可能な装置に取り付ける工程と、
該第１の再構成可能な装置に入力された構成データのユーザ入力を受け入れる工程と、
該第１の再構成可能な装置と該着脱可能なデバイスとの無線通信を確立する工程と、
該第１の再構成可能な装置から該着脱可能なデバイスに構成データを送信する工程と、
該着脱可能なデバイスに該構成データを格納する工程と、
該着脱可能なデバイスを第２の再構成可能な装置に取り付ける工程と、
該着脱可能なデバイスと該第２の再構成可能な装置との無線通信を確立する工程と、
該着脱可能なデバイスから該第２の再構成可能な装置に該構成データを送信する工程と、該着脱可能なデバイスから受信した該構成データに従って該第２の再構成可能な装置を操作する工程と、からなる方法。
【発明の詳細な説明】
【技術分野】
【０００１】
本発明は、一般に埋め込みソフトウェアによって制御されるデバイスに関する。より詳細には、本発明はプログラム可能な無線機器の構成データの保護に関する。
【背景技術】
【０００２】
現在、製造における量産メリット生かすために、さまざまなエンド・ユーザ市場向けに開発され、わずかに異なる周波数の使用が可能であり、さまざまな機能を備えた双方向の無線機器は、共通のハードウェア設計を共有しており、埋め込みソフトウェアによって読み込まれたデータで画定される構成の設定に関してのみ異なっている。指定された現場で、１つ以上のユーザ・グループ（たとえば警察）は、通信を実行するためのスペクトルの一部を割り当てられ、割り当てられたスペクトルの範囲内の周波数で安全に動作するように構成された双方向無線機器を装備している。警察のように多くのユーザ・グループがある場合は、双方向無線機器（ｃｏｎｆｉｄｅｎｔｉａｌ）を使用して実行された会話の機密を保持するという要求が存在する。残念ながら、動作周波数などの構成の設定はソフトウェア内で画定されるので、個人はこのような双方向無線機器を再プログラミングすることで動作周波数などの構成の設定を変更して、このような無線機器で個人の使用が認証されていないスペクトルを使用して、メッセージを受信したり、送信したりすることが可能になる。そのために必要なものは、プログラム可能な読み出し専用メモリ（ＰＲＯＭ：Ｐｒｏｇｒａｍｍａｂｌｅ  Ｒｅａｄ  Ｏｎｌｙ  Ｍｅｍｏｒｙ）チップ上、または電気的消去可能読み出し専用メモリ（ＥＥＰＲＯＭ：Ｅｌｅｃｔｒｉｃａｌｌｙ  Ｅｒａｓａｂｌｅ  Ｒｅａｄ  Ｏｎｌｙ  Ｍｅｍｏｒｙ）チップ上の記録情報である。動作周波数を大幅に変更するには、ＲＦ−ＩＦ変調器／復調器ハードウェアに対する何らかの変更が必要な場合がある。
【発明の開示】
【発明が解決しようとする課題】
【０００３】
無線通信の別の領域、すなわち携帯電話の領域では、単純な音声通信を超えるさまざまな付加機能が導入されている。セル方式の通信デバイスに追加された付加機能の例には、テキスト・メッセージング、Ｗｏｒｌｄ  Ｗｉｄｅ  Ｗｅｂ（ＷＷＷ）サーフィン、データ交換が含まれる。特定のより高度な携帯電話は、複数の通信プロトコルを使用した通信が可能である。セル方式の通信デバイスの市場は、基本的な音声電話以外の機能のレベルによって階層化されており、さまざまな機能を備えるデバイスが含まれる。代替機そのものを新しく購入せずに、所有する電話の機能をアップグレードする方法をユーザに提供することが望ましい。
【課題を解決するための手段】
【０００４】
本発明について、以下の添付の図面に示す限定ではない例示的な実施形態を使用して説明するが、図面では同様の参照番号は同様の要素を示している。
【発明を実施するための最良の形態】
【０００５】
本明細書では、必要に応じて本発明の詳細な実施形態を開示するが、開示された実施形態は本発明の例を示すものにすぎず、本発明はさまざまな形態で具体化し得る。したがって、本明細書で開示する特定の構造上および機能上の詳細は、限定と解釈せず、単に請求項の論拠として、さらに実質的に任意の適切な詳細構造において本発明をさまざまに利用するように当業者を指導するための論拠である。さらに、本明細書で使用する語句は、限定を意味するものではなく、本発明をわかりやすく説明するためのものである。
【０００６】
本明細書で使用する「１つの（ａまたはａｎ）」ということばは、１つ以上と定義される。本明細書で使用する「複数の（ｐｌｕｒａｌｉｔｙ）」ということばは、２つまたはそれ以上と定義される。本明細書で使用する「別の（ａｎｏｔｈｅｒ）」ということばは、少なくとも２つ目またはそれ以降と定義される。本明細書で使用する「含む（ｉｎｃｌｕｄｉｎｇ）」および／または「有する（ｈａｖｉｎｇ）」ということばは、備えている（つまり排他的でないことば）と定義される。本明細書で使用する「接続された（ｃｏｕｐｌｅｄ）」ということばは、接続されていると定義されるが、必ずしも直接接続されていなくてもよく、必ずしも機械的に接続されていなくてもよい。
【０００７】
図１は本発明の好ましい実施形態による第１の無線通信デバイス３０２（図３）の第１のフロント・ファッシャ１０２を示す部分的なｘ線透視図であり、図２は第１のフロント・ファッシャ１０２を示す横断面図である。フロント・ファッシャ１０２は、射出成形されたシェル（ｓｈｅｌｌ）と、複数のスピーカーのグリル穴（ｓｐｅａｋ  ｇｒｉｌｌ  ｏｐｅｎｉｎｇｓ）１０４、表示ウィンドウ１０６と、メニュー・ナビゲーション・ボタン（ｍｅｎｕ  ｎａｖｉｇａｔｉｏｎ  ｂｕｔｔｏｎ）穴１０８と、複数のキー・ホール１１０と、一連のマイクロフォンのグリル穴（ｍｉｃｒｏｐｈｏｎｅ  ｇｒｉｌｌ  ｏｐｅｎｉｎｇｓ）１１２を含む複数の穴（ｏｐｅｎｉｎｇｓ）とからなるのが好ましい。ネジ穴用突起（Ｓｃｒｅｗ  ｈｏｌｅ  ｂｏｓｓｅｓ）２０２は、第１のフロント・ファッシャ１０２の取り付けに使用する。第１のフロント・ファッシャ１０２には、情報を保持する第１の無線周波数ＩＤ（ＲＦ−ＩＤ）デバイス１１４がさらに含まれる。第１のＲＦ−ＩＤデバイス１１４は、第１のフロント・ファッシャ１０２に埋め込まれている。第１のＲＦ−ＩＤデバイス１１４を埋め込まれた第１のフロント・ファッシャ１０２は、挿入成形によって製造されるのが好ましい。第１のＲＦ−ＩＤデバイス１１４の機能については、本明細書の以下の部分で詳細に説明する。
【０００８】
図３は、図１に示すフロント・ファッシャ１０２のない第１の無線通信デバイス３０２を示す透視図である。第１の無線通信デバイス３０２は、携帯電話および／または双方向無線機器であるのが好ましい。第１の無線通信デバイス３０２は、リア・ハウジング部３０４でサポートされる複数のコンポーネントからなる。フロント・ファッシャ１０２は、リア・ハウジング部３０４にはめ合わせる。無線デバイス３０２には、メイン・アンテナ３０６、スピーカー３０８、ディスプレイ３１０、メニュー・ナビゲーション・ボタン３１２、複数のキー３１４、マイクロフォン３１６が含まれる。フロント・ファッシャ１０２内のネジ穴用突起２０２と整合する追加のネジ穴用突起３１８がリア・ハウジング部３０４内に配置され、フロント・ファッシャ１０２をリア・ハウジング部３０４に取り付けるために用いるネジを収容する。本発明の代替的な実施形態により、フロント・ファッシャ１０２には金型取り付けタブ（ｍｏｌｄ  ｍｏｕｎｔｉｎｇ  ｔａｂｓ）が一体化されており、リア・ハウジング部３０２にスナップがはめ込まれる。本発明の１つの代替的な実施形態により、第１のＲＦ−ＩＤデバイス１１４は第１のフロント・ファッシャの上をぴったり覆う化粧ファッシャ（ｃｏｓｍｅｔｉｃ  ｆａｓｃｉａ）に含まれる。第１の無線通信デバイス３０２には、第１の誘電コイル（ｉｎｄｕｃｔｉｖｅ  ｃｏｉｌ）３２０の形のエア・インターフェイス（ａｉｒ  ｉｎｔｅｒｆａｃｅ）も含まれる。第１の誘電コイル３２０は、第１のＲＦ−ＩＤデバイス１１４とデータを交換するためのアンテナとして機能する。１つの代替的な実施形態（図示せず）により、第１の無線通信デバイス３０２には誘電コイル３２０の代わりに１つ以上、かつ好ましくは１対の静電容量式の電極（ｃａｐａｃｉｔｉｖｅ  ｅｌｅｃｔｒｏｄｅｓ）が含まれる。図９に関連してより詳細に説明するように、誘電コイル３２０は情報を送信および受信するための回路に接続されている。本発明の１つの好ましい実施形態による第１の無線通信デバイスの内部の電気回路については、図９に示すブロック図に関連してより詳細に説明されている。
【０００９】
図４は、第１のＲＦ−ＩＤデバイス１１４を示す横断面図である。第１のＲＦ−ＩＤデ
バイスは、磁気コア（ｍａｇｎｅｔｉｃ  ｃｏｒｅ）４０４内で巻かれる第２の誘電コイル４０２の形のエア・インターフェイスを備えており、磁気コア４０４には第２の誘電コイル４０２を収容するリング状のくぼみ４０６が含まれる。第２の誘電コイル４０２は、第１の無線通信デバイス３０２とデータを交換するためのアンテナとして使用される。磁気コア４０４は缶（ｃａｎ）４０８のオープン・エンド（ｏｐｅｎ  ｅｎｄ）で収容され、第２の誘電コイル４０２のリード線４１０は、磁気コア４０４内の穴を経由して延び、磁気コア４０４の背後にある缶（ｃａｎ）４０８内に配置された第１のＲＦ−ＩＤアプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）４１２に接続する。第１のＲＦ−ＩＤ  ＡＳＩＣ  ４１２は、改ざん防止用埋め込みエポキシ樹脂４１４で覆われている。第１のＲＦ−ＩＤ
ＡＳＩＣ  ４１２には、第２の誘電コイル４０２に接続する通信回路、第１の無線通信デバイス３０２を操作するための情報を格納するメモリ、およびメモリの内容を読み出し、通信回路を操作してメモリの内容を送信するための論理回路が含まれるのが好ましい。第１のＲＦ−ＩＤ  ＡＳＩＣ  ４１２の論理回路は、プログラム可能なマイクロプロセッサを備えているのが好ましい。あるいは、ＲＦ−ＩＤ  ＡＳＩＣ  ４１２の論理回路にはステート・ロジック（ｓｔａｔｅ  ｌｏｇｉｃ）が含まれる。
【００１０】
図５は、本発明の代替的な実施形態による第２の無線通信デバイス（図示せず）の第２のフロント・ファッシャ５０２を示す部分的なｘ線透視図である。第２のフロント・ファッシャ５０２は、第１のＲＦ−ＩＤデバイス１１４とは異なる第２のＲＦ−ＩＤデバイス５０４を備えている。第２のＲＦ−ＩＤデバイス５０４には、第２の誘電コイル４０２は含まれず、センター・ロード・ダイポール・アンテナ（ｃｅｎｔｅｒ  ｌｏａｄｅｄ  ｄｉｐｏｌｅ  ａｎｔｅｎｎａ）５０６の形のエア・インターフェイスが含まれるのが好ましい。ダイポール・アンテナ５０６は、ダイポール・アンテナ５０６の負荷を含む第２のＲＦ−ＩＤ  ＡＳＩＣ  ５０８に接続されている。好ましくは電源を内蔵しないＲＦ−ＩＤ  ＡＳＩＣからデータを送信するために、ダイポール・アンテナ５０６上の負荷が変調されて情報がエンコードされる。第２のＲＦ−ＩＤデバイス５０４は、第２のフロント・ファッシャ５０２に埋め込まれている。第２のＲＦ−ＩＤデバイスには、第２の無線通信デバイスのメイン・アンテナからの信号受信が可能であり、このことによって第１の無線通信デバイス３０２で使用する第１の誘電コイル３２０が不要になるという利点がある。代替として、負荷のあるダイポール・アンテナ５０６と信号を交換するための専用のアンテナが提供される。
【００１１】
図６は、本発明の別の代替的な実施形態による第３の無線通信デバイス７０２（図７）の第３のフロント・ファッシャ６０２を示す部分的なｘ線透視図である。一連の磁石配列６０４は、第３のフロント・ファッシャ６０２内に埋め込まれている。一連の磁石配列６０４のそれぞれについて磁極が選択され、第３の無線通信デバイス７０２の動作を制御するための情報をエンコードする。たとえば、各磁石配列面のＮ極またはＳ極をあらかじめ指定した方向（たとえば第３の無線通信デバイス７０２に対して内側）に向けることで、２進数のエンコードが可能である。
【００１２】
図７は、図６に示すフロント・ファッシャ６０２のない第３の無線通信デバイス７０２を示す透視図である。第３の無線通信デバイス７０２には、磁場センサー・モジュール７０４内にまとめてマウントされた一連の磁場センサーが含まれる。磁場センサー・モジュール７０４は、一連の磁石配列６０４の配置を読み取り、一連の磁石配列にエンコードされた情報を磁場センサー・モジュール７０４に接続されたマイクロプロセッサ（図７には図示せず）で使用可能にする。磁場センサー・モジュール７０４は、１つ以上のホール効果センサー（Ｈａｌｌ  ｅｆｆｅｃｔ  ｓｅｎｓｏｒｓ）を備えているのが好ましい。磁場センサーは、一連の磁石配列６０４にエンコードされたデータを読み取る非接触型読み取り装置（ｎｏｎ  ｃｏｎｔａｃｔ  ｒｅａｄｅｒ）の１つの形である。
【００１３】
図１、２、５、６に関連して上で説明したように、構成データを格納するデバイス（１台または複数台）はフロント・ファッシャ１０２、５０２、６０２に配置されるのが好ましいが、代わりに構成データを格納するデバイス（１台または複数台）は無線通信デバイスのその他の着脱可能なコンポーネント（ボリューム・ノブ、ファンクション・キー、周波数ノブ、エスカッション（ｅｓｃｕｔｃｈｅｏｎ）など）に含まれる。
【００１４】
図８は、本発明の好ましい実施形態によるＲＦ−ＩＤデバイス８００を示すブロック図である。第１のＲＦ−ＩＤデバイス１１４と第２のＲＦ−ＩＤデバイス５０４は、図８に示すものに対応するのが好ましい。図８を参照すると、ＲＦ−ＩＤデバイス８００はエア・インターフェイス８０２を備えている。エア・インターフェイス８０２は、第１のＲＦ−ＩＤデバイス１１４の場合は第２の誘電コイル４０２の形をとり、第２のＲＦ−ＩＤデバイス５０４の場合はダイポール・アンテナ５０６の形をとる。エア・インターフェイスは復調器８０４に接続されている。復調器は、ＲＦ−ＩＤデバイスが信号を受信する無線デバイスから受信した信号を処理する。
【００１５】
エア・インターフェイス８０２は、エア・インターフェイス８０２の負荷を変調するための負荷変調器８０６にも接続されている。負荷変調器８０６は、可変のレジスタとして構成される電界効果トランジスタ（ＦＥＴ：ｆｉｅｌｄ  ｅｆｆｅｃｔ  ｔｒａｎｓｉｓｔｏｒ）を備えているのが好ましい。第２の誘電コイル４０２の例では、可変のレジスタが誘電コイル４０２に並列に接続するのが好ましい。ダイポール・アンテナ５０６の場合は、可変のレジスタがダイポール・アンテナ５０６の２本のアームの間で接続されているのが好ましい。ＲＦ−ＩＤデバイス８００は無線デバイスに情報を返送可能であり、ＲＦ−ＩＤデバイス８００はこの情報を使用してエア・インターフェイス８０２上の負荷を変調することで通信している。ＲＦ−ＩＤデバイス８０８が通信に使用するデバイスは、負荷内の検出可能な変更にエンコードされている情報を受信する。
【００１６】
マイクロコントローラ８０８は、復調器８０４と負荷変調器８０６に接続されている。マイクロコントローラ８０８は、ＲＦ−ＩＤデバイス８００で受信したメッセージを含めて復調器からのデータを読み取り、負荷変調器８０６を操作してデータを送信する。マイクロコントローラ８０８は、ＲＦ−ＩＤデバイス８００の動作を制御するのに使用されるプログラムを格納するプログラム・メモリ８１０に接続されている。プログラム・メモリ８１０は不揮発性メモリである。マイクロコントローラ８０８は、第２の不揮発性メモリ８１２にも接続されている。第２の不揮発性メモリ８１２は、前述の第１の無線通信デバイス３０２、第２の無線通信デバイス、第３の無線通信デバイス７０２などの外部デバイスを操作するプログラムで使用する構成データを格納するために使用する。２つのメモリ８１０、８１２は、別の目的で取り上げるために別々に示されているが、実際にこの２つのメモリ８１０、８１２は１つの物理メモリ内の２つのアドレス・ブロックでもよい。
【００１７】
エア・インターフェイス８０２は、電力を抽出し、エア・インターフェイス８０２を経由して受信したＲＦ信号からＲＦ−ＩＤデバイスの回路に電力を供給する役割を果たす電力整流器（ｐｏｗｅｒ  ｒｅｃｔｉｆｉｅｒ）およびフィルタ８１４にも接続されている。電力整流器およびフィルタ８１４は、たとえばフィルタ・コンデンサ（ｆｉｌｔｅｒ  ｃａｐａｃｉｔｏｒ）がフォローする全波ブリッジ整流器（ｆｕｌｌ  ｗａｖｅ  ｂｒｉｄｇｅ  ｒｅｃｔｉｆｉｅｒ）を備えている。電力整流器およびフィルタ８１４は、復調器８０４、負荷変調器８０６、マイクロコントローラ８０８、およびメモリ８１０、８１２に接続されており、これらに電力を供給する。復調器８０４、負荷変調器８０６、電力整流器およびフィルタ８１４、マイクロコントローラ８０８、プログラム・メモリ８１０、不揮発性データ・メモリ８１２は、１つのＡＳＩＣ  ８１６として実装され、たとえば第１のＲＦ−ＩＤデバイス１１４の場合は第１のＲＦ−ＩＤ  ＡＳＩＣ  ４１２内で具体
化され、第２のＲＦ−ＩＤデバイス５０４の場合は第２のＲＦ−ＩＤ  ＡＳＩＣ  ４１４内で具体化されるのが好ましい。ＲＦ−ＩＤデバイス８００は、非接触型読み出し情報記録デバイスである。
【００１８】
動作時に、外部のデバイスから受信する信号に応答して、外部のデバイスの構成データが不揮発性メモリ８１２から読み出され、負荷変調器８０６を経由して外部のデバイスに送信される。オプションで、構成データの送信には暗号化の方法を使用して外部デバイスの認証に成功した場合という条件を付ける。送信する構成データは暗号化されるのが好ましい。構成データは、暗号化してから不揮発性メモリ８１２に格納するか、送信する前に暗号化するかのいずれかである。
【００１９】
図９は、図３に示す本発明の好ましい実施形態による第１の無線通信デバイス３０２を示すブロック図である。図９に示すように、無線通信デバイス３０２は、トランシーバ・モジュール９０２、プロセッサ９０４（たとえばデジタル信号プロセッサ）、アナログ・デジタル変換器（Ａ／Ｄ）９０６、キー入力デコーダ９０８、デジタル・アナログ変換器（Ｄ／Ａ）９１２、表示ドライバ９１４、プログラム・メモリ９１６、変調器９１８、復調器９２０、デジタル信号バス９２４を経由して接続された揮発性メモリ９２２からなる。
【００２０】
トランシーバ・モジュール９０２は、アンテナ３０６に接続されている。データで変調された搬送波信号、たとえばオーディオ・データなどはアンテナ３０６とトランシーバ９０２に接続される。
【００２１】
マイクロフォン３１６は、Ａ／Ｄ  ９０６に接続されている。話しことばを含むオーディオは、マイクロフォン３１６から入力され、Ａ／Ｄ  ９０６によってデジタル形式に変換される。
【００２２】
キー３１４は、キー入力デコーダ９０８に接続されている。キー入力デコーダ９０８は、押下されたキーを特定し、押下された各キーを特定する情報をプロセッサ９０４に提供する役割を果たす。
【００２３】
Ｄ／Ａ  ９１２はスピーカー３０８に接続されている。Ｄ／Ａ  ９１２は、デコードされたデジタル・オーディオをアナログ信号に変換し、スピーカー３０８を操作する。ディスプレイ・ドライバ９１４はディスプレイ３１０に接続されている。
【００２４】
変調器９１８と復調器９２０は、搬送波周波数生成器（ｃａｒｒｉｅｒ  ｆｒｅｑｕｅｎｃｙ  ｇｅｎｅｒａｔｏｒ）９２６と第１の誘電コイル３２０の形をとるエア・インターフェイスに接続されている。変調器９２０と組み合わせたエア・インターフェイス３２０は、ＲＦ−ＩＤデバイス８００（１１４）から情報を読み取るための非接触型読み取り装置である。動作時に、第１の無線通信デバイス３０２の電源を入れると、変調器９１８を経由してＲＦ−ＩＤデバイス８００（４１４）に信号が送信され、オプションでハンドシェーク手順の認証を実行した後、さらにオプションで、暗号化された通信リンクのネゴシエーションを実行した後に、第１の無線通信デバイス３０２の構成データはＲＦ−ＩＤデバイス８００（４１４）から復調器９２０を経由して受信されるのが好ましい。それから、構成データは復号化され、揮発性メモリ９２２に格納されるのが好ましい。後のケースでは、第１の無線通信デバイスの電源を落とすと構成データは消去されるので、構成データを無断で利用しようとする者からはアクセスされない。構成データを復号化するための暗号化キーはプログラム・メモリ９１６に格納されるのが好ましい。あるいは、ユーザがキー３１４から復号化キーを入力するように指示するメッセージが表示される。揮発性メモリ９２２、プログラム・メモリ９１６、およびプロセッサは、１つのチップに統合さ
れているので、構成データを復号化された形で読み出すのは困難になっている。
【００２５】
プログラム・メモリ９１６は、第１の無線通信デバイス３０２を制御するプログラムを格納するために使用する。プログラム・メモリ９１６に格納されたプログラムは、プロセッサ９０４で実行される。構成データは、無線デバイス３０２を制御するプログラムで使用される。構成データは、無線デバイス操作のさまざまな側面の制御に使用可能である。構成データで制御可能な操作データの側面の例には、動作周波数や、高度な機能（安全な音声通信、Ｗｅｂブラウジング（ｂｒｏｗｓｉｎｇ）、テキスト・メッセージング、および／または電子メールなどがあるがこれらに限定はされない）の有効化または無効化が含まれる。構成データは、２進のエンコードされた値、たとえば２進のエンコードされた周波数、２進のフラグ（たとえば、第１の無線通信デバイス３０２の動作を制御するプログラム内の判断文の結果を確認するフラグ）からなるのが好ましい。構成データには、たとえば無線通信デバイス技術において無線デバイス３０２のいわゆる「コード・プラグ」を含めてもよい。
【００２６】
本発明の１つの代替的な実施形態により、最初にフロント・ファッシャ１０２がマウントされた場合に、構成データは、キー入力されたユーザ入力に応答して第１のＲＦ−ＩＤデバイス１１４から無線通信デバイス３０２に送信され、それから構成データは不揮発性メモリに格納される。
【００２７】
図１０は、本発明の好ましい実施形態により、第１のＲＦ−ＩＤデバイス１１４を第１の無線通信デバイス３０２と組み合わせて操作する方法を示す流れ図である。工程１００２で、第１の無線通信デバイス３０２の電源を入れる。オプションのブロック１００４で、暗号化手順を使用して第１の無線通信デバイス３０２をＲＦ−ＩＤデバイス１１４に対して認証し、ＲＦ−ＩＤデバイス１１４を第１の無線通信デバイス３０２に対して認証する。ブロック１００６は判断のブロックであり、その結果は１００６で実行した認証が成功したかどうかによって決まる。失敗した場合は工程が終了する。一方、認証が成功した場合は工程がブロック１００８に進み、ここで第１の無線通信デバイス３０２と第１のＲＦ−ＩＤデバイス１１４との間に暗号化された通信リンクがセットアップされる。既知の認証と暗号化の方法を使用してブロック１００４、１００８を実行することが可能である。ブロック１０１０で、構成データは第１のＲＦ−ＩＤデバイス１１４からで第１の無線通信デバイス３２０に無線で送信される。ブロック１０１１で、構成データは第１の無線通信デバイス３２０の揮発性メモリ９２２に格納される。ブロック１０１４で、第１の無線通信デバイス３２０がユーザ入力に応答し、構成データに従って動作する。ブロック１０１６で、第１の無線通信デバイス３２０の電源を切る。第１の無線通信デバイス３２０の電源を切ると、構成データは揮発性メモリ９２２から失われるので、第１の無線通信デバイス３２０からの認証されない読み出しは不可能である。
【００２８】
無線通信デバイスの構成データをＲＦ−ＩＤデバイス内に格納することで、データのセキュリティが向上し、無線通信デバイスが最初に販売されたときに意図していない機能を実行するように構成データを変更するのがより困難になる。構成データをＲＦ−ＩＤデバイス内またはそれ以外（磁石配列による）の着脱可能な部品（たとえばフロント・ファッシャ１０２、５０２、または６０２）にエンコードして格納すると、着脱可能な部品を交換することによって電話の機能上のアップグレードも可能である。
【００２９】
図１１は、本発明のさらに別の実施形態による第４の無線通信デバイス１１０２を示す正面図である。第４の無線通信デバイス１１０２は第１の無線通信デバイス３０２とは異なり、第１の無線通信デバイス３０２は第１のＲＦ−ＩＤデバイス１１４を含む取り外し可能なフロント・ファッシャ１０２を備えているのに対して、第４の無線通信デバイス１１０２は第３のＲＦ−ＩＤデバイス１１０６を含む取り外し可能な制御ノブ（ｒｅｍｏｖ
ａｂｌｅ  ｃｏｎｔｒｏｌ  ｋｎｏｂ）１１０４を備えている。第３のＲＦ−ＩＤデバイス１１０６が備える取り外し可能な制御ノブ１１０４は、挿入成形によって製造されるのが好ましい。取り外し可能なノブ１１０４は、第４の無線通信デバイス１１０２のシャフト１１０８上に装着される。シャフト１１０８は、ロータリー・スイッチ（ｒｏｔａｒｙ
ｓｗｉｔｃｈ）の一部であるか、ボリューム（ｖｏｌｕｍｅ）調整に使用するポテンショメーター（ｐｏｔｅｎｔｉｏｍｅｔｅｒ）のような回転式の連続的に可変のインピーダンス調整デバイスであるのが好ましい。第３のＲＦ−ＩＤデバイス１１０６を含むノブ１１０４は無線通信デバイスからの取り外し、輸送、無線通信デバイスへの取り付けが容易に可能であるため、こうした無線通信デバイスは第３のＲＦ−ＩＤデバイスに格納された構成データに従った動作が可能になる。
【００３０】
図１２は、本発明のさらに別の実施形態による第５の無線通信デバイス１２００を示す横断面図である。第５の無線通信デバイス１２００には、エラストマー・キーパッド（ｅｌａｓｔｏｍｅｒｉｃ  ｋｅｙｐａｄ）１２０４を含む多くのコンポーネントをサポートし、そうしたコンポーネントを電気的に相互接続する回路基板１２０２が含まれる。第４のＲＦ−ＩＤデバイス１２０６は、エラストマー・キーパッド１２０４内で成形される。回路基板１２０２は、第４のＲＦ−ＩＤデバイス１２０６とのデータ交換に使用する第３のソレノイド１２０８と図９に関連して説明した電気回路を具体化するその他の回路コンポーネント１２１０もサポートする。バッテリ１２１２も提供される。
【００３１】
キーパッド１２０４内に第４のＲＦ−ＩＤデバイス１２０６を含めることにより、それ以外の同等のデバイスと区別され、キーパッド１２０４のキー上にさまざまなテキストやアイコンを備えるさまざまなキーパッド１２０４に代わり、さらにキーの機能を制御する構成データとオプションでその他の構成データ（たとえばディスプレイ１２１４に表示されるメニューの内容）を補足的に変更する機能を提供する。キーパッド１２０４に含まれる個々のファンクション・キーの機能は、ＲＦ−ＩＤデバイス１２０６に格納された構成データによって決定し、各ファンクション・キーにプリントされたテキストまたはアイコンによって示されるのが好ましい。このように、キーパッド１２０４を交換することで、無線通信デバイスは、たとえばゲームに関心のあるティーンエージャーと連絡先情報の体系化により関心のあるプロフェッショナル、あるいはスペイン語を話す人と英語を話す人といった別々のユーザ・グループに適応するという特徴付けが可能である。
【００３２】
本発明の代替的な実施形態により、無線通信デバイスの着脱可能な部品には、読み出し／書き込みメモリを含むＲＦ−ＩＤデバイスが含まれており、無線通信デバイス自体がユーザ・データを含む構成データをＲＦ−ＩＤデバイスに送信し、さらにＲＦ−ＩＤデバイスから構成データを受信するようにプログラミングされており、ＲＦ−ＩＤデバイスは無線通信デバイスから受信したユーザ設定を将来の利用に備えて格納し、後でこのユーザ・データを無線通信デバイスに送信するようにプログラミングされている。こうした実施形態によって、ユーザのデータを格納する着脱可能なデバイスを１台の無線通信デバイスから別の無線通信デバイスを移動し得る。ユーザ・データは、たとえばボリューム設定、デフォルトのチャネル、画面のレイアウト、ディスプレイのコントラスト、フォント・サイズ、日付と時刻のフォーマット、ソフト・ボタンの定義および／または個人の電話帳リストからなる。この実施形態は、ユーザ組織が使用可能なデバイスのプールから多くの無線通信デバイスの中の１台をユーザに割り当て可能な場合、またはユーザに無線通信デバイスを貸し出す場合は特に有効である。このような事例において、ユーザにとって新しい無線通信デバイスは、あらかじめユーザ・データを格納したＲＦ−ＩＤデバイスを含む着脱可能なデバイスを取り付け、ＲＦ−ＩＤデバイスから無線通信デバイスに構成データという形でデータを送信することで、ユーザのデータに従った構成が可能になる。
【００３３】
図１３は、読み出し／書き込み機能付きのＲＦ−ＩＤを２台の別々の再構成可能な装置
（たとえば双方向無線機器や携帯電話）と組み合わせて操作する方法を示す流れ図である。工程１３０２で、読み出し／書き込み可能なＲＦ−ＩＤデバイスを含む着脱可能な部品（たとえば、フロント・ファッシャ１０２、５０２、６０２、ノブ１１０４、キーパッド１２０６）は第１の再構成可能な装置に取り付けられる。着脱可能な部品を取り付けると、着脱可能な部品に含まれるＲＦ−ＩＤデバイスが配置されることにより、再構成可能な装置とＲＦ−ＩＤデバイスとの間でデータ信号を交換するときに適切な信号強度が実現され、高出力信号を使用する必要はない。工程１３０４で、データのユーザ入力（たとえば、使用する周波数、ボリューム設定、電話帳エントリ）が読み込まれる。工程１３０４を実行するために、第１の再構成可能な装置はたとえばキー３１４からのユーザ入力を受け入れるようにプログラミングされている。第１の再構成可能な装置は、たとえばディスプレイ上３１０に１つ以上のメニューを表示し、入力するときにユーザを案内するようにプログラミングされているのが好ましい。
【００３４】
工程１３０６で、ＲＦ−ＩＤデバイスと第１の再構成可能な装置との間で無線通信が確立され、あらかじめ工程１３０４でユーザによって入力され、受け入れられたユーザ・データが工程１３０８で第１の再構成可能な装置からＲＦ−ＩＤデバイスに送信される。工程１３１０で、ユーザ・データはＲＦ−ＩＤデバイスの不揮発性メモリに格納される。第１の再構成可能な装置は、ユーザが行った構成データへの任意の変更を着脱可能な部品内のＲＦ−ＩＤデバイスに送信するようにプログラミングされているのが好ましい。
【００３５】
工程１３１２で、読み出し／書き込み可能なＲＦ−ＩＤデバイスを含む着脱可能な部品が第２の再構成可能な装置に取り付けられ、工程１３１４で第２の再構成可能な装置と読み出し／書き込み可能なＲＦ−ＩＤデバイスとの間で無線通信が確立される。工程１３１６で、ＲＦ−ＩＤデバイスに工程１３１０で格納されたユーザ・データがＲＦ−ＩＤデバイスから送信され、第２の再構成可能な装置で受信される。工程１３１８で、第２の再構成可能な装置はＲＦ−ＩＤデバイスから受信したユーザ・データに従って動作する。たとえば、第２の再構成可能な装置はＲＦ−ＩＤデバイスから受信したボリュームと周波数の設定に従って構成され、ＲＦ−ＩＤデバイス上に格納された電話帳エントリは第２の再構成可能な装置で使用可能になる。
【００３６】
複数の特定の実施形態に関連して以上に説明したように、本発明は携帯電話や双方向無線のような無線通信デバイスに特に適しているが、本発明は、たとえば、ビデオ・ゲーム・コンソール、セット・トップ・ボックス、デジタル・カメラなど、その他のタイプの電子デバイスにも適用可能であることに留意されたい。
【００３７】
本発明の好ましい実施形態およびその他の実施形態について図示し、説明してきたが、本発明がそれほど限定的でないことは言うまでもない。さまざまな修正、変更、変形、代替、および同等物は、当業者によって添付の請求項で定義する本発明の精神と範囲を逸脱することなく作成されるであろう。
【図面の簡単な説明】
【００３８】
【図１】第１の無線通信デバイスの第１のフロント・ファッシャを示す部分的なｘ線透視図。
【図２】ＲＦ−ＩＤデバイスを埋め込まれた図１に示す第１のフロント・ファッシャを示す横断面図。
【図３】図１と２に示すフロント・ファッシャのない第１の無線通信デバイスを示す透視図。
【図４】ＲＦ−ＩＤデバイスを示す横断面図。
【図５】第２の無線通信デバイスの第２のフロント・ファッシャを示す部分的なｘ線透視図。
【図６】第３の無線通信デバイスの第３のフロント・ファッシャを示す部分的なｘ線透視図。
【図７】図６に示すフロント・ファッシャのない第３の無線通信デバイスを示す透視図。
【図８】ＲＦ−ＩＤデバイスを示すブロック図。
【図９】図３に示す第１の無線通信デバイスを示すブロック図。
【図１０】ＲＦ−ＩＤデバイスを無線通信デバイスと組み合わせて操作する方法を示す流れ図。
【図１１】第４の無線通信デバイスを示す正面図。
【図１２】第５の無線通信デバイスを示す側断面図。
【図１３】読み出し／書き込み機能付きのＲＦ−ＩＤを２台の別々の再構成可能な装置と組み合わせて操作する方法を示す流れ図。
【図１】
2007503662.tif 000003
【図２】
2007503662.tif 000004
【図３】
2007503662.tif 000005
【図４】
2007503662.tif 000006
【図５】
2007503662.tif 000007
【図６】
2007503662.tif 000008
【図７】
2007503662.tif 000009
【図８】
2007503662.tif 000010
【図９】
2007503662.tif 000011
【図１０】
2007503662.tif 000012
【図１１】
2007503662.tif 000013
【図１２】
2007503662.tif 000014
【図１３】
2007503662.tif 000015
【国際調査報告】
2007503662.tif 000016
2007503662.tif 000017